(57)【要約】【課題】遊技が単調になることを解消し、遊技の興趣を一段と向上させることができる弾球遊技機を提供する。【解決手段】外周の回転方向に沿って複数の装飾部材４２ａ，４２ｂが並設される回転体３２と、一定の遊技条件に従い前記回転体３２を回転又は停止させる第一駆動制御手段３９と、を備え、前記各装飾部材４２ａ，４２ｂは、第二駆動制御手段５４によりそれ自身が動作するようにし、一定の遊技条件に基づき前記回転体３２が停止したとき、動作する装飾部材４２ａ，４２ｂを着座した遊技者が視認できるようにして、表示部以外にも特別遊技状態になるかならないかのゲーム性を持たせて新しい興趣や期待感が得られるようにする。【選択図】　図５
2004008579.tif 000002
【特許請求の範囲】
【請求項１】
外周の回転方向に沿って複数の装飾部材が並設され、かつ、前記いずれかの装飾部材が着座した遊技者から視認できるように配置される回転体と、一定の遊技条件に基づいて前記回転体を回転又は停止させる第一駆動制御手段と、を備えた弾球遊技機であって、前記各装飾部材は、第二駆動制御手段により動作し得るように構成され、一定の遊技条件に基づいて前記回転体が停止したとき、前記遊技者から視認できる位置に有る装飾部材が動作するようにしたことを特徴とする弾球遊技機。
【請求項２】
前記回転体は、筒部外周の回転方向に沿って複数の区画部を成形すると共に該各区画部に各種動物の頭部を模した装飾部材を配置してなり、また、前記各装飾部材は、それらの一部が前記筒部内に配置される第二駆動制御手段により動作するように構成された請求項１記載の弾球遊技機。
【発明の詳細な説明】
【０００１】
【発明の属する技術分野】
本発明は、一定の遊技条件に基づいて回転する回転体を備え、前記回転体が停止したとき、着座した遊技者から視認できる位置に有る装飾部材がさらに動作するようにして、遊技の興趣を一段と高めることができるようにした弾球遊技機に関するものである。
【０００２】
【従来の技術】
弾球遊技機の一つであるパチンコ遊技機には、例えば遊技盤の中央部に複数の数字、図柄等が液晶表示される表示部を備えた可変表示装置が配設され、その下方に始動入賞口が設けられると共に更にその下方に大型の入賞装置が設けられ、前記始動入賞口にパチンコ球が入賞することにより前記表示部の数字、図柄等を変動表示し、前記変動した表示が一定の時間経過後に停止して特定の表示（例えば「７７７」）を示し、遊技者にとって有利となる特別遊技状態になったとき、一定の条件の下で開閉扉を所定回数開成させ一度に多くの入賞球が得られるようにしたものがある。
【０００３】
【発明が解決しようとする課題】
ところで、この種の弾球遊技機では、特別遊技状態になるかならないかが可変表示装置における表示部の画面に表される数字、図柄等によって決まってしまい、遊技者はほとんどその画面しか見ないので、遊技を重ねると表示以外に期待できず、遊技が単調になって面白みに欠け、遊技者に飽きられる可能性が出てきており、顧客の吸引力に欠けるといった課題がある。
【０００４】
そこで、本発明は上記課題を解決すべくなされたもので、表示部以外にも特別遊技状態になるかならないかのゲーム性に関わる部分を設け、遊技が単調になることを解消し遊技の興趣を一段と向上させることができるようにした弾球遊技機を提供することを目的とするものである。
【０００５】
【課題を解決するための手段】
かかる目的を達成するため、本発明に係る弾球遊技機は、外周の回転方向に沿って複数の装飾部材が並設され、かつ、前記いずれかの装飾部材が着座した遊技者から視認できるように配置される回転体と、一定の遊技条件に基づいて前記回転体を回転又は停止させる第一駆動制御手段と、を備えた弾球遊技機であって、前記各装飾部材は、第二駆動制御手段により動作し得るように構成され、一定の遊技条件に基づいて前記回転体が停止したとき、前記遊技者から視認できる位置に有る装飾部材が動作するようにした。
【０００６】
このように、複数の装飾部材を並設して回転体を成形し、一定の遊技条件に基づき前記回転体が停止したとき、着座した遊技者から視認できる装飾部材が動作するようにしたので、表示部以外にも特別遊技状態になるかならないかのゲーム性に関わる部分が設けられ、しかも、停止した装飾部材が動作することによって遊技者に驚きを与える変化に富んだ動作が加えられることから、遊技の面白味が増すばかりか新しい興趣や期待感が得られる。
【０００７】
【発明の実施の形態】
以下、本発明に係る弾球遊技機の実施の形態を図面に基づき説明する。なお、弾球遊技機には、例えばパチンコ遊技機、アレンジボール機または雀球遊技機があるが、本発明にあっては、その一例としてパチンコ遊技機について説明する。図１は、本発明が適用されるパチンコ遊技機の正面図である。図において、１はパチンコ遊技機Ｐの機枠であって縦長方形枠状に形成されており、その前面に額縁状の前面枠２が、その右側上下部を前記機枠１の同側上下部に設けた軸支部３によって軸支され、回動自在に装着されている。この前面枠２には遊技盤４が装着される。
【０００８】
また、前記前面枠２の前面に、遊技盤４前面の遊技部４ａを覆う透明な二枚のガラス板５を備えたガラス扉枠６及び遊技盤４の下部を覆う前面板７が装着されている。前記前面板７の前面に、貯留された弾球であるパチンコ球を打球発射部（図示せず。）に供給するための打球供給皿８が装着される。また、前記前面枠２の下部前面には、前記打球供給皿８から溢れるパチンコ球を貯留する余剰球貯留皿９が装着されている。１０は、前面枠２の下部前面であってその左側に設けられ、打ち出されるパチンコ球の打球力の強弱を調節する操作ハンドルである。
【０００９】
前記遊技盤４の前面に内側ガイドレール１１が取り付けられ、この内側ガイドレール１１で囲まれる遊技部４ａには、そのほぼ中央に表示部１２ａを備えた可変表示装置１２が装着され、その下方にパチンコ球の入賞により前記表示部１２ａの文字、数字、図柄等の表示を変動表示させる始動入賞口１３が配設される。更に、その下方に、前記変動した表示が一定の時間経過後に停止して特定の表示（例えば「７７７」）を示し、遊技者にとって有利な特別遊技状態になったとき、一定の条件の下で開閉扉１４ａを所定回数開成させ一度に多くの入賞球が得られる入賞装置１４が配設されている。前記始動入賞口１３は、パチンコ球が入賞し難い起立またはパチンコ球が入賞し易い傾動位置に自在に変換可能な一対の可動翼片１３ａ，１３ａを有している。
【００１０】
更に、前記可変表示装置１２の両側やや下方位置に一般入賞口１５が配設され、これら一般入賞口１５の上方位置にはパチンコ球が通過することによりそれを検知し、前記始動入賞口１３の一対の可動翼片１３ａ，１３ａをパチンコ球が受入れ易いように傾動させるための通過チャッカー１６が配設されている。１７は、前記遊技部４ａの適宜位置に回転自在に装着され、流下するパチンコ球の流れを変えて面白みを出させるための風車であり、１８は障害釘である。更にまた、遊技部４ａの下部には、遊技部４ａを流下して前記始動入賞口１３、一般入賞口１５などに入賞しなかったパチンコ球をアウト球として遊技盤４の後方へ回収するアウト球口１９が開設されている。
【００１１】
図２は可変表示装置の斜視図、図３は同分解斜視図である。この可変表示装置１２はその一側に本発明に係る回転体を収納する収納室２０が一体に設けられている。すなわち、２１は遊技盤４の前面に取付けられる横長長方形状の取付板であり、大窓開口２２とその一側に位置し前記収納室２０と対応する小窓開口２３がそれぞれ開設されている。２４は取付板２１の四隅部に設けられる取付用孔である。そして、取付板２１の裏側に、大窓開口２２に対応位置して表示装置本体２５が配置され、その表示部１２ａが大窓開口２２に臨み、前側から表示部１２ａに表示される文字、数字、図柄等の遊技情報が視認できるようになっている。
【００１２】
また、前記表示装置本体２５の一側の収納室２０には、前記小窓開口２３の内側に該小窓開口２３と連通するようにして覗き窓２６が開設されている。また、収納室２０の一側面は開口２７し、その開口２７には収納室２０の隅角部に設けられた螺子孔２８に螺子挿通孔２９を介して螺子３０を螺締することにより蓋板３１が開閉自在に被着される。そして、前記収納室２０内には回転体３２が配置される。
【００１３】
前記回転体３２は、蓋板３１側の一側面が開放する円筒体３３の外周面に複数の区画板３４が放射状かつ等間隔に設けられ、各区画板３４間すなわち回転方向に沿って複数の区画部３５が設けられている。また、前記円筒体３３の表示装置本体２５側に大径の従動歯車３６が一体に設けられ、その中心に設けられる軸支部３７が表示装置本体２５の外側壁２５ａに突設される軸杆３８に嵌合し、回転体３２が鉛直面内で自在に回転し得るようになっている。収納室２０の底面に第一駆動制御手段としてのステッピングモータ３９が配置され、該ステッピングモータ３９のモータ軸３９ａに設けられた駆動歯車４０が、前記外側壁２５ａに取着される中間歯車４１を介して前記従動歯車３６に歯合している。
【００１４】
前記回転体３２における円筒体３３の外周には各区画部３５毎に各種動物、本実施の形態ではワニとピラニアの頭部を模した装飾部材４２ａ，４２ｂが交互に配置されている。前記ステッピングモータ３９は図示を省略する制御装置によって制御され、回転体３２が停止したとき、いずれかのワニまたはピラニアの装飾部材４２ａ，４２ｂが前記覗き窓２６に臨み、着座した遊技者から視認できるようなっている。
【００１５】
ワニである装飾部材４２ａは、その一部の上顎部４３が別個に成形されると共に図５に示すように横軸４４により軸止される。図５は簡略化して示されるが、前記横軸４４はその両端が装飾部材４２ａに支持されている。そして、上顎部４３の基端部下面に円弧状の歯部４５が設けられている。この歯部４５は、その下側に配置され前後に自在にスライドする可動部材４６の上面に設けられた歯部４７と歯合している。
【００１６】
ピラニアである装飾部材４２ｂは、その一部の両胸鰭部４８が別個に成形されると共に図６に示すように縦軸４９により軸止される。図６も簡略化して示されるが、前記縦軸はその両端が装飾部材４２ｂに支持されている。そして、各胸鰭部４８の基端部側面に円弧状の歯部５０が設けられている。各歯部５０は、両胸鰭部４８間に配置されかつ前後に自在にスライドする可動部材５１の両側に位置するようにして設けられた歯部５２と歯合している。
【００１７】
図示は省略するが、前記各可動部材４６，５１は、例えばコイルばねによって常に後方へ付勢されており、前記円筒体３３の外周面で停止される。また、前記円筒体３３には、図５に示すように各装飾部材４２ａ，４２ｂの可動部材４６，５１の後端面と対向位置して通孔３３ａが開設されている。これは後記するソレノイド５４のプランジャ５５を挿通して前記可動部材４６，５１を前方へ押動するためのものである。
【００１８】
前記蓋板３１の内側面には、上下一対の保持枠５３が一体に設けられ、該保持枠５３に第二駆動制御手段としてのソレノイド５４が取着される。このソレノイド５４は、収容室２０一側面の開口２７を蓋板３１で閉塞したとき、前記円筒体３３内に納まるようになっており、回転体３２と共に回転するものではない。ソレノイド５４のプランジャ５５先端は、圧縮コイルバネの付勢により後方へ突出しており、その先端部に水平に支持されかつソレノイド５４の周囲を囲うようにして平面方形状の枠部材５６が配置され、この枠部材５６におけるプランジャ５５とは反対側に前方を向く突杆部５７が設けられている。
【００１９】
前記突杆部５７は、ソレノイド５４が消磁しておりかつ回転体３２が停止したとき、覗き窓２６に臨むワニまたはピラニアの装飾部材４２ａ，４２ｂ内に設けられた可動部材４６，５１と通孔３３ａを介して対向位置している。前記ソレノイド５４も制御装置によって制御され、常には消磁している。そして、前記回転体３２が停止したとき、励磁し圧縮コイルバネの付勢に抗してプランジャ５５を吸引し、枠部材５６の突杆部５７の先端で前記通孔３３ａを介して前記覗き窓２６に臨むワニまたはピラニアの装飾部材４２ａ，４２ｂ内に設けられた可動部材４６，５１を前側へ押動できるようになっている。
【００２０】
本発明に係るパチンコ遊技機Ｐは上記構成からなり、次にその遊技方法について説明する。この種のパチンコ遊技機では、遊技盤４面に打ち込まれたパチンコ球が始動入賞口１３に入賞することにより、可変表示装置１２の表示部２１ａに表示される複数の数字、図柄等の表示が変動し、この変動した表示が一定時間経過後に停止する。そして、表示の各数字、図柄等があらかじめ定められた特定の表示（例えば「７７７」）を示さないときは、次に始動入賞口１３にパチンコ球が入賞するのを待つ。前記表示部１２ａの表示が変動を開始してから停止するまで一定の時間が掛かり、その間に始動入賞口１３にパチンコ球が入賞したときは、最高４個までプールされるようになっている。よって、入賞球がプールされている限り、その間、始動入賞口１３にパチンコ球が入賞しなくても前記表示部２１ａに表示される複数の数字、図柄等の表示がプール個数分変動を繰り返す。
【００２１】
一方、前記表示の各数字、図柄等があらかじめ定められた特定の表示（例えば「７７７」）を示したときは、遊技者にとって有利となる特別遊技状態（大当り状態）となり、一定の条件の下で入賞装置１４の開閉扉１４ａを所定回数（例えば１６回）開成させ、一度に多くの入賞球が得られるようにしている。また、遊技を面白くするため、一度大当り状態になった後に、再び大当り状態になる確率が高確率に変動（確率変動という。）する場合を決めている。なお、前記特定の表示を示し特別遊技状態になるときは、通常前段階としてリーチ状態になる。
【００２２】
本発明にあっては、例えば、前記大当り状態になったとき回転体３２が前側へ回転し、その大当り状態が終了する前に停止する。この際、確率変動が確定したときは、図４（イ）、図５（イ）に示すようにいずれかのワニの装飾部材４２ａを覗き窓２６の位置で停止させ、しかも、図４（ロ）、図５（ロ）に示すようにソレノイド５４を励磁させ突杆部５７により可動部材４６を前方へ押動する。これにより、前記ワニの装飾部材４２ａが、その上顎部４３を上下に回動させて口を開く動作をする。同様に、ピラニアの装飾部材４２ｂもいずれかが覗き窓２６の位置で停止し、しかも、ソレノイド５４が励磁して突杆部５７により可動部材５１を前方へ押動し、図６（イ）、図６（ロ）に示すように胸鰭部４８を前後に回動させて呼吸をする動作をする。なお、実際には、この動作に伴い音響効果が加えられる。
【００２３】
このように、本発明は、確率変動が確定して高確率に変わったときは、一定の遊技条件に基づいて前記回転体３２を回転させると共に停止させ、更に、覗き窓２６の位置にある装飾部材４２ａ，４２ｂを動作させることにより、そのことを遊技者に知らせる。一方、確率変動がなくその後も通常変動のときは、図６（イ）に示すようにいずれかのピラニアの装飾部材４２ｂを覗き窓２６の位置で停止させ、胸鰭部４８を動作させないようにして、そのことを遊技者に知らせる。これら装飾部材４２ａ，４２ｂの回転・停止、それらの一部の動作はすべて覗き窓２６から着座した遊技者が視認できる。なお、前記回転体３２は、停止後に次の大当り状態を待つことになる。
【００２４】
一定の遊技条件に対する回転体３２及び装飾部材４２ａ，４２ｂの動作は、本実施の形態に説明したものに限られるものではない。例えば、各３匹のワニ、ピラニアの装飾部材４２ａ，４２ｂにそれぞれ金、銀、銅の色を付けておき、表示部１２ａの表示がリーチ状態になったとき、回転体３２を前記表示部１２ａの表示が停止する前に停止させ、覗き窓２６の位置に止まった装飾部材４２の色によって大当たりになる期待度を表すようにしても良い。金色のときは大当りになる可能性が高く、銀色のときは大当たりになる可能性が普通であり、銅色のときは大当たりになる可能性が低いことを示す。この場合、当然に、前記回転体３２が停止して覗き窓２６に位置する装飾部材４２ａ，４２ｂは、その一部が動作するようにする。
【００２５】
本実施の形態では、可変表示装置１２に回転体３２を収容した収容室２０を一体に組み込むようにしたが、前記収容室２０を別個に成形し、例えば、遊技盤４面またはガラス扉枠６の前面に単独で取り付けるようにしても良い。
【００２６】
【発明の効果】
以上説明したように、本発明に係る弾球遊技機は、複数の装飾部材が並設される回転体を一定の遊技条件に従い回転し、停止させたとき前記各装飾部材自身を動作させるように構成したので、一定の遊技条件に基づき前記回転体が停止したとき、動作する装飾部材を着座した遊技者が視認できることとなり、これにより、表示部以外にも特別遊技状態になるかならないかのゲーム性に関わる部分が設けられ、しかも、装飾部材には遊技者に驚きを与える変化に富んだ動作が加えられることから、遊技の単調さが解消されて面白味が増すと共に新しい興趣や期待感が得られ、遊技の興趣が一段と向上するという効果を有する。
【図面の簡単な説明】
【図１】本発明が適用されるパチンコ遊技機の正面図。
【図２】可変表示装置の斜視図。
【図３】同分解斜視図。
【図４】（イ）遊技盤に取着した可変表示装置の正面図。
（ロ）同装飾部材の作用を示す可変表示装置の正面図。
【図５】（イ）遊技盤に取着した可変表示装置の要部側面断面図。
（ロ）同装飾部材の作用を示す可変表示装置の要部側面断面図。
【図６】（イ）装飾部材の作用を示す可変表示装置の要部平面断面図。
（ロ）装飾部材の作用を示す可変表示装置の要部平面断面図。
【符号の説明】
３２　　　　　　　　　　　　回転体
３５　　　　　　　　　　　　区画部
３９　　　　　　　　　　　　第一駆動制御手段（ステッピングモータ）
４２ａ　　　　　　　　　　　装飾部材（ワニ）
４２ｂ　　　　　　　　　　　装飾部材（ピラニア）
４３　　　　　　　　　　　　上顎部
４８　　　　　　　　　　　　胸鰭部
５４　　　　　　　　　　　　第二駆動制御手段（ソレノイド）
Ｐ　　　　　　　　　　　　　弾球遊技機（パチンコ遊技機）
【図１】
2004008579.tif 000003
【図２】
2004008579.tif 000004
【図３】
2004008579.tif 000005
【図４】
2004008579.tif 000006
【図５】
2004008579.tif 000007
【図６】
2004008579.tif 000008